(57)【要約】【課題】  表面と裏面とを有する板状の保冷材を手で把持する際、保冷材の外面と手が直接接触することを抑制（防止又は減少）することができる保冷材用カバーを提供する。【解決手段】表面と裏面とを有する板状の保冷材を、表面を覆う表面覆い部と裏面を覆う裏面覆い部との間に形成される内部空間に保持する保冷材用カバーであって、表面覆い部と裏面覆い部とのいずれもが、その外縁から所定寸法以上の幅でその外縁に沿って連続して形成された外側覆い部分を有し、表面覆い部と裏面覆い部とのうち少なくとも表面覆い部が、外側覆い部分によって取り囲まれた部分に、内部空間と外部空間とを連通させる通気口を有するものである、保冷材用カバーである。【選択図】図１
0003164585.tif 000002
【実用新案登録請求の範囲】
【請求項１】
表面と裏面とを有する板状の保冷材を、表面を覆う表面覆い部と裏面を覆う裏面覆い部との間に形成される内部空間に保持する保冷材用カバーであって、
表面覆い部と裏面覆い部とのいずれもが、その外縁から所定寸法以上の幅でその外縁に沿って連続して形成された外側覆い部分を有し、
表面覆い部と裏面覆い部とのうち少なくとも表面覆い部が、外側覆い部分によって取り囲まれた部分に、内部空間と外部空間とを連通させる通気口を有するものである、保冷材用カバー。
【請求項２】
通気口の外縁を結ぶように互いの間に間隔をとって取り付けられた複数の線材を有するものである、請求項１に記載の保冷材用カバー。
【請求項３】
通気口を開閉可能な蓋部材が取り付けられたものである、請求項１又は２に記載の保冷材用カバー。
【請求項４】
前記保冷材用カバーは、表面覆い部を横断する線分である分割線分に沿って分割される第１カバー部と第２カバー部とを含んでなり、
第１カバー部が第２カバー部に対し第１カバー部の表面覆い部と第２カバー部の表面覆い部とが互いに接する回動位置まで分割線分の周りに回動可能なものであり、第１カバー部及び第２カバー部の一方が他方に対して蓋部材として機能するものである、請求項３に記載の保冷材用カバー。
【請求項５】
蓋部材が通気口を閉じる位置において通気口に対する蓋部材の位置を固定する蓋固定手段を有するものである、請求項３又は４に記載の保冷材用カバー。
【請求項６】
前記保冷材用カバーの通気口以外の少なくとも一部が発泡樹脂シートによって形成されるものである、請求項１乃至５のいずれか１に記載の保冷材用カバー。
【請求項７】
前記保冷材用カバーの通気口以外の少なくとも一部の表面が金属によって形成されるものである、請求項１乃至６のいずれか１に記載の保冷材用カバー。
【請求項８】
前記所定寸法以上の幅が１．５ｃｍ〜４．５ｃｍである、請求項１乃至７のいずれか１に記載の保冷材用カバー。
【請求項９】
保冷材を内部空間に挿入及び内部空間から取り出し可能な開閉自在の開閉口を有するものである、請求項１乃至８のいずれか１に記載の保冷材用カバー。
【考案の詳細な説明】
【技術分野】
【０００１】
本考案は、保冷材用カバーに関し、より詳細には、表面と裏面とを有する板状の保冷材を、表面を覆う表面覆い部と裏面を覆う裏面覆い部との間に形成される内部空間に保持する保冷材用カバーに関する。
【背景技術】
【０００２】
表面と裏面とを有する板状の保冷材は、飲食料品や医薬品等の被冷却物の冷却を目的として従来から広く用いられてきた（例えば、特許文献１参照）。
特許文献１には、「図４に示すように、蓄冷材１は矩形平板状のものであり、非発泡樹脂など所要の剛性を備えた蓄冷剤ケース１Ａとその中に収容される温度により相変化する蓄冷剤１Ｂとからなる」（特許文献１、発明の詳細な説明中、段落番号００２４）蓄冷材（本考案にいう保冷材）が開示されている。
【０００３】
このような特許文献１に開示された板状の保冷材（特許文献１においては蓄冷材１）は、冷凍庫の内部等において冷却されることで蓄冷剤１Ｂが低温相になり、その低温相になった蓄冷剤１Ｂを有する蓄冷材１を被冷却空間（通常は被冷却物が存する）に配設することで、該被冷却空間から蓄冷材１（蓄冷剤１Ｂ）が熱を吸収し、その熱により蓄冷剤１Ｂが低温相から高温相への相転移を生じることによって該被冷却空間を冷却するものである。そして、蓄冷剤１Ｂが高温相になった蓄冷材１は、再度、冷凍庫の内部等において冷却されることで蓄冷剤１Ｂが高温相から低温相へ相転移を生じ（蓄冷剤１Ｂが熱を排出する）、再び冷却のため使用することができるというものである。
【先行技術文献】
【特許文献】
【０００４】
【特許文献１】特開２００５−２１９７９３号公報（例えば、要約、段落番号００２４、第４図等）
【考案の概要】
【考案が解決しようとする課題】
【０００５】
このような特許文献１に開示されたような板状の保冷材（特許文献１においては蓄冷材１）は、その外面から吸熱するものであり、板状の保冷材を取り扱う際に保冷材外面を手で把持すると保冷材の外面と手が直接接触することで冷たく不快であったり、ひどい場合は手が凍傷にかかるおそれもあった。
そこで、本考案では、表面と裏面とを有する板状の保冷材を手で把持する際、保冷材の外面と手が直接接触することを抑制（防止又は減少）することができる保冷材用カバーを提供することを目的とする。
【課題を解決するための手段】
【０００６】
本考案の保冷材用カバー（以下、「本カバー」という。）は、表面と裏面とを有する板状の保冷材を、表面を覆う表面覆い部と裏面を覆う裏面覆い部との間に形成される内部空間に保持する保冷材用カバーであって、表面覆い部と裏面覆い部とのいずれもが、その外縁から所定寸法以上の幅でその外縁に沿って連続して形成された外側覆い部分を有し、表面覆い部と裏面覆い部とのうち少なくとも表面覆い部が、外側覆い部分によって取り囲まれた部分に、内部空間と外部空間とを連通させる通気口を有するものである、保冷材用カバーである。
本カバーは、表面と裏面とを有する板状の保冷材を本カバーの内部空間に保持する保冷材用カバーである。保冷材を保持する内部空間は、板状の保冷材の表面を覆う表面覆い部と、板状の保冷材の裏面を覆う裏面覆い部と、の間に形成される。即ち、板状の保冷材は、表面覆い部と裏面覆い部との間に挟まれるようにして内部空間に保持される。
そして本カバーにおいては、表面覆い部と裏面覆い部とのいずれもが、その外縁から所定寸法以上の幅でその外縁に沿って連続して形成された外側覆い部分を有している（即ち、表面覆い部が表面覆い部の外縁に沿って連続して形成された外側覆い部分を有すると共に、裏面覆い部が裏面覆い部の外縁に沿って連続して形成された外側覆い部分を有する。）。なお、表面覆い部と裏面覆い部とのいずれの外側覆い部分も、本カバーを把持した指が、表面覆い部と裏面覆い部との間の内部空間に収容される保冷材の外面に直接接触しないように形成される。
さらに、本カバーにおいては、表面覆い部と裏面覆い部とのうち少なくとも表面覆い部が、表面覆い部の外側覆い部分によって取り囲まれた部分に、内部空間と外部空間とを連通させる通気口を有する。なお、表面覆い部と裏面覆い部とのうち少なくとも表面覆い部が通気口を有せばよいが、表面覆い部と裏面覆い部との両方が通気口を有するものであってもよい。
このような本カバーにおいては、表面と裏面とを有する板状の保冷材が表面覆い部と裏面覆い部との間に形成される内部空間に保持され、保冷材から生じる冷気が通気口を経て本カバーの内部空間から外部空間へ流出したり、外部空間に存する雰囲気が通気口を経て保冷材の外面に接触することにより、外部空間（被冷却空間）に存する被冷却物を冷却することができる。そして、内部空間に板状の保冷材が保持された本カバーを手で把持する際、表面覆い部の外側覆い部分と裏面覆い部の外側覆い部分とに指が接触するように把持することで（例えば、保冷材が保持された本カバーを右手で把持する場合、右手の親指が表面覆い部の外側覆い部分に当接し、右手の人差し指が裏面覆い部の外側覆い部分に当接するようにして右手で把持できる。）、保冷材の外面と手が直接接触することを抑制（防止又は減少）することができる。表面覆い部の外側覆い部分と裏面覆い部の外側覆い部分とのいずれも、表面覆い部及び裏面覆い部の外縁から所定寸法以上の幅でその外縁に沿って連続して形成されているので、外縁に沿ったいずれの位置を把持しても表面覆い部の外側覆い部分と裏面覆い部の外側覆い部分とに指が接触するように把持でき、保冷材の外面と手が直接接触することを抑制（防止又は減少）することができる。
【０００７】
本カバーにおいては、通気口の外縁を結ぶように互いの間に間隔をとって取り付けられた複数の線材を有するものであってもよい。
こうすることで互いの間に間隔をとった複数の線材が、通気口の外縁を結ぶよう通気口の外縁に取り付けられるので、通気口の外縁を補強することができることに加え、通気口を線材が横切ることによって通気口部分において手指や被冷却物が保冷材外面に直接接触することを抑制（防止又は減少）することができる。通気口において手指が保冷材に直接接触することを抑制することは、手指が冷たく不快であったり凍傷にかかることを防止し、そして、通気口において被冷却物が保冷材に直接接触することを抑制することは、被冷却物の保冷材外面への直接接触により生じうる被冷却物の凍結等による傷みを防止又は減少させることができる。
なお、複数の線材としては、個々の線材を通気口の外縁に複数取り付ける（例えば、接着、融着、縫いつけ等）ようにしてもよいが、複数の線材によって予め形成されている網状部材を通気口外縁に取り付ける（例えば、接着、融着、縫いつけ等）ようにしてもよい。
【０００８】
本カバーにおいては、通気口を開閉可能な蓋部材が取り付けられたもの（以下、「蓋取付本カバー」という。）であってもよい。
通気口は、本カバーの内部空間と外部空間とを連通させるためのものであるので、内部空間と外部空間とを連通させたい場合（保冷材から生じる冷気を通気口を経て外部空間へ流出させる等して外部空間に存する被冷却物を冷却するときや、本カバーの内部空間に保持されている保冷材を冷却（凍結等）するため、冷凍室内等において冷気を通気口を経て内部空間へ流入させるとき）には開状態とする必要があるが、内部空間と外部空間とを連通させたくない場合（例えば、冷却された保冷材を使用場所へ搬送するとき等）には閉状態にできるようにしてもよい。通気口を開閉可能な蓋部材を本カバーに取り付ければ、場合に応じて通気口を開状態及び閉状態のいずれにも自由にすることができる。
【０００９】
蓋取付本カバーの場合、前記保冷材用カバーは、表面覆い部を横断する線分である分割線分に沿って分割される第１カバー部と第２カバー部とを含んでなり、第１カバー部が第２カバー部に対し第１カバー部の表面覆い部と第２カバー部の表面覆い部とが互いに接する回動位置まで分割線分の周りに回動可能なものであり、第１カバー部及び第２カバー部の一方が他方に対して蓋部材として機能するものであってもよい。
第１カバー部と第２カバー部とは、本カバーが本カバーの表面覆い部を横断する線分である分割線分に沿って分割されることで形成され（分割線分が境界線となる場合の分割線分の一方側が第１カバー部であり、分割線分の他方側が第２カバー部である。）、第１カバー部と第２カバー部とは互いに分割線分の周りに回動可能である。そして、第１カバー部の表面覆い部と第２カバー部の表面覆い部とが互いに面する回動位置まで第１カバー部が第２カバー部に対し分割線分の周りに回動可能とされることで、第１カバー部及び第２カバー部の一方が他方に対して蓋部材として機能（第１カバー部は第２カバー部に対して蓋部材として機能し、第２カバー部は第１カバー部に対して蓋部材として機能する。）するようにすることができる。これによって分割線分に沿って分割される第１カバー部と第２カバー部とを分割線分の周りに回動可能とすることで、別個の蓋を設けることなく、適宜場合に応じ通気口を開状態及び閉状態のいずれにも自由にすることができる。
【００１０】
蓋取付本カバーの場合、蓋部材が通気口を閉じる位置において通気口に対する蓋部材の位置を固定する蓋固定手段を有するものであってもよい。
通気口を開閉可能な蓋部材によって、必要に応じ通気口を開状態及び閉状態のいずれにも自由にすることができるが、内部空間と外部空間とを連通させたくない場合（例えば、冷却された保冷材を使用場所へ搬送するとき等）に閉状態を保持できるようにしてもよい。閉状態を保持するには、蓋部材が通気口を閉じる位置において通気口に対する蓋部材の位置を保持する必要があるが、そのためには蓋部材が通気口を閉じる位置（閉状態）において通気口に対する蓋部材の位置を固定する蓋固定手段を有するようにしてもよい。
蓋固定手段としては、蓋部材が通気口を閉じる位置（閉状態）において通気口に対する蓋部材の位置を固定すると共に必要に応じ解放（通気口を開ける）することができるものであれば何ら限定されるものではないが、例えば、面ファスナー（例えば、互いに係脱自在な面ファスナーの一方を蓋部材に取り付けると共に、他方を通気口の近傍に取り付ける。）、磁石（例えば、蓋部材及び通気口近傍の一方に取り付けられた磁石と、他方に取り付けられた、該磁石が吸引する吸引物（磁石又は鋼材等）と、による。）、蓋部材と通気口近傍とを連結する線材（紐やワイヤー等）、蓋部材と通気口近傍とを連結するフック、蓋部材と通気口近傍とを連結するジッパー（線ファスナー）等を例示できるが、迅速容易に係脱できることや耐水性等を付与しやすいことからは面ファスナーを用いてもよい。
【００１１】
本カバーにおいては、前記保冷材用カバーの通気口以外の少なくとも一部が発泡樹脂シートによって形成されるものであってもよい。
発泡樹脂シートは、樹脂によって形成される母相中に、多数の空泡（通常は、空気等の気体が満たされている）が分散した構造を有しており、優れた断熱性を有することから様々な分野に用いられている。かかる発泡樹脂シートにより、本カバーの通気口以外の部分を形成すれば、保冷材を保持する内部空間を規定する内面と、手で把持する外面と、の間の伝熱を減少させることができる。
本カバーにおいては、内部空間に板状の保冷材が保持された本カバーを手で把持する際、表面覆い部の外側覆い部分と裏面覆い部の外側覆い部分とに指が接触するように把持することで、保冷材の外面と手が直接接触することを抑制（防止又は減少）し、手が冷たく不快であったり凍傷にかかることを抑制（防止又は減少）するものであるが、保冷材側の内面と手で把持する外面との間の伝熱を減少させることは、手で把持する外面があまり低温にならないため、手が冷たく不快であったり凍傷にかかることを効果的に抑制（防止又は減少）することができる。そして、保冷材側の内面と外面との間の伝熱を減少させることは、外面からの熱吸収量を減少させるので、外面側に存する冷却不要物を冷却することを減少し、冷却不要物の意図しない冷却による損傷を抑制（防止又は減少）すると共に、保冷材の冷却能力の無駄を減少させることができる。
【００１２】
本カバーにおいては、前記保冷材用カバーの通気口以外の少なくとも一部の表面が金属によって形成されるものであってもよい。
本カバーの内部空間に保持された保冷材の冷却能力の無駄を減少させるには、外部空間から内部空間への無駄な入熱を減少させることが重要である。外部空間から内部空間への入熱のうち輻射伝熱を減少させるには、通気口以外の本カバーの表面を金属によって形成するようにしてもよい。表面を形成する金属としては、アルミニウムやステンレス鋼等を例示でき、輻射伝熱を減少させることからは、この金属表面は平滑にされることが好ましい。なお、通気口以外の本カバーの表面を形成する金属層は薄いものでよいので、アルミニウムを表面に蒸着するようにしてもよい。
【００１３】
本カバーにおいては、前記所定寸法以上の幅が１．５ｃｍ〜４．５ｃｍであってもよい。
本カバーにおいては、内部空間に板状の保冷材が保持された本カバーを手で把持する際、表面覆い部及び裏面覆い部の外縁から所定寸法以上の幅でその外縁に沿って連続して形成された外側覆い部分に指が接触するように把持することで、保冷材の外面と手が直接接触することを抑制（防止又は減少）するものである。このため外側覆い部分が形成される外縁からの幅は、あまり小さいと本カバーを手で把持する際に外側覆い部分をうまく把持できず、逆に、あまり大きいと十分な大きさの通気口を形成できなくなるので、これらを両立する範囲とされてよく、通常、前記所定寸法以上の幅として、好ましくは１．５ｃｍ以上であり、より好ましくは２ｃｍ以上であり、最も好ましくは２．５ｃｍ以上であり（即ち、前記所定寸法としては、好ましくは１．５ｃｍであり、より好ましくは２ｃｍであり、最も好ましくは２．５ｃｍである。）、そして好ましくは４．５ｃｍ以下であり、より好ましくは４ｃｍ以下であり、最も好ましくは３．５ｃｍ以下である。
【００１４】
本カバーにおいては、保冷材を内部空間に挿入及び内部空間から取り出し可能な開閉自在の開閉口を有するものであってもよい。
本カバーは、保冷材に取り付けられたまま（内部空間に保冷材が保持されたまま）で保冷材と一体となったものであってもよいが、保冷材を内部空間に挿入及び内部空間から取り出し可能な開閉自在の開閉口を本カバーが有するようにして保冷材を交換可能にしてもよい。このように開閉自在の開閉口を経由して保冷材を内部空間に装入したり内部空間から取り出すことができるようにすれば、本カバーを保冷材と分離して洗浄したり、保冷材を破損しても保冷材を取り替えて本カバーを使用することもできる。なお、開閉口を開閉自在にするには、例えば、面ファスナー、磁石、線材（紐等）、ジッパー（線ファスナー）等を例示できるが、迅速容易に開閉できることや耐水性等を付与しやすいことからはジッパー（線ファスナー）を用いてもよい。
【図面の簡単な説明】
【００１５】
【図１】本考案の第１の実施形態の保冷材用カバー（第１本カバー）を示す図である。
【図２】図１（ａ）のＡ−Ａ断面図である。
【図３】図２の円Ｄ中の一部拡大図である。
【図４】第１本カバーにおける表面覆い部及び裏面覆い部の外側覆い部分を説明する図である。
【図５】本考案の第２の実施形態の保冷材用カバー（第２本カバー）を示す図である。
【図６】図５（ｂ）のＢ−Ｂ断面図である。
【図７】本考案の第３の実施形態の保冷材用カバー（第３本カバー）を示す図である。
【図８】第３本カバーを構成する一対の第１本カバーの表面覆い部が互いに面した状態を示す斜視図である。
【図９】第３本カバーにおける表面覆い部及び裏面覆い部の外側覆い部分を説明する図である。
【図１０】本考案の第４の実施形態の保冷材用カバー（第４本カバー）を示す図である。
【図１１】第４本カバーにおける表面覆い部及び裏面覆い部の外側覆い部分を説明する図である。
【考案を実施するための形態】
【００１６】
本考案の実施の形態を図面を参照して詳述するが、本考案はこれに限定されるものではない。
【００１７】
（第１の実施形態）
図１は、本考案の第１の実施形態の保冷材用カバー（以下、「第１本カバー」という。）１１を示す図であり、詳細には、図１（ａ）は第１本カバー１１の表面覆い部１３側から第１本カバー１１を見た斜視図であり、図１（ｂ）は第１本カバー１１の裏面覆い部１５側から第１本カバー１１を見た斜視図である。そして、図２は、図１（ａ）のＡ−Ａ断面図であり、図３は図２の円Ｄ中の一部拡大断面図である。図１乃至図３を参照して、第１本カバー１１について説明する。
第１本カバー１１は、図２に示すように、表面１０３ａと裏面１０３ｂとを有する板状の保冷材１０１を第１本カバー１１の内部空間１２に保持する保冷材用カバーである。保冷材１０１は、直方体形状を略なす中空の合成樹脂製ケース１０１ｃ（高さが小さな直方体形状をなしており、高さに対して垂直な両主表面が表面１０３ａ及び裏面１０３ｂを形成している。）と、合成樹脂製ケース１０１ｃの内部に充填された畜冷剤１０１ａと、を含んでなり、保冷材１０１を冷凍庫等の中で冷却することで畜冷剤１０１ａを低温相に相転移させた状態で保冷材１０１を被冷却物（不図示）に隣接させることで被冷却物（不図示）を冷却することに使用でき、被冷却物（不図示）を冷却し保冷材１０１が吸熱することで畜冷剤１０１ａが低温相から高温相に相転移した保冷材１０１は再び冷凍庫等の中で冷却することで畜冷剤１０１ａを低温相に相転移させ再使用できるものである。
第１本カバー１１は、大まかには、保冷材１０１の表面１０３ａを覆う表面覆い部１３と、保冷材１０１の裏面１０３ｂを覆う裏面覆い部１５と、表面覆い部１３の外縁１３ｆと裏面覆い部１５の外縁１５ｆとを連結する側面覆い部１７と、表面覆い部１３と裏面覆い部１５との間に形成される内部空間１２と、表面覆い部１３と裏面覆い部１５との間に形成される開口に沿って取り付けられたジッパー１９と、内部空間１２と外部空間９９とを連通させる表面覆い部１３に設けられた通気口１４と、通気口１４に取り付けられた網状部材１６と、を備えてなる。
【００１８】
表面覆い部１３は、保冷材１０１の略長方形の表面１０３ａを覆うものであり、表面１０３ａが略なす略長方形と略相似の略長方形（表面１０３ａよりもやや大きい）をなしている。
裏面覆い部１５は、保冷材１０１の略長方形の裏面１０３ｂを覆うものであり、裏面１０３ｂが略なす略長方形と略相似の略長方形（裏面１０３ｂよりもやや大きい）をなしている。なお、ここでは表面１０３ａと裏面１０３ｂとは略同じ形状であり、表面覆い部１３と裏面覆い部１５とは略同じ形状にされている。
表面覆い部１３の外縁１３ｆ（表面覆い部１３がなす略長方形の４辺に沿った部分）のうち表面覆い部１３がなす略長方形の４辺のうちの１の長辺（以下、「表面非連結１辺」という）を除く３辺（以下、「表面連結３辺」という）と、裏面覆い部１５の外縁１５ｆ（裏面覆い部１５がなす略長方形の４辺に沿った部分）のうち裏面覆い部１５がなす略長方形の４辺のうちの１の長辺（以下、「裏面非連結１辺」という）を除く３辺（以下、「裏面連結３辺」という）と、は側面覆い部１７（表面連結３辺に沿う長辺と、裏面連結３辺に沿う長辺と、が略平行な帯状部材）によって連結されている。
ジッパー１９は、表面非連結１辺及び裏面非連結１辺に沿って取り付けられており、表面非連結１辺及び裏面非連結１辺に沿ってスライダ１９ｃが往復動することで、表面覆い部１３の表面非連結１辺と裏面覆い部１５の裏面非連結１辺との間に形成される開口を自由に開閉することができる。
表面覆い部１３と裏面覆い部１５との間には内部空間１２が形成されており、ジッパー１９を開いて開口を開けた状態では、外部空間９９から内部空間１２へ該開口を経由して保冷材１０１を挿入したり、内部空間１２に存する保冷材１０１を外部空間９９へ該開口を経由して取り出すことができ、そして内部空間１２に保冷材１０１を保持する場合はジッパー１９を閉じて該開口を閉じた状態（図１及び図２の状態）にすることができる。
【００１９】
通気口１４は、表面覆い部１３の中心部分に形成されており、通気口１４の縁部１４ｆと表面覆い部１３の外縁１３ｆとの間の距離Ｘ１、Ｘ２、Ｘ３及びＸ４のいずれも約３ｃｍとされている（通気口１４の形状はほぼ長方形状であり、縁部１４ｆは外縁１３ｆに略平行になるように配置されている。）。なお、裏面覆い部１５には通気口は形成されていない。通気口１４は、内部空間１２と外部空間９９とを連通させる。
そして、通気口１４の縁部１４ｆに沿って網状部材１６が取り付けられている。ここでは網状部材１６は、通気口１４の縁部１４ｆを結ぶように互いの間に間隔（約１ｃｍ）をとって縁部１４ｆに略平行に取り付けられた複数の第１の線材と、通気口１４の縁部１４ｆを結ぶように互いの間に間隔（約１ｃｍ）をとって略平行かつ第１の線材に略直交するように縁部１４ｆに取り付けられた複数の第２の線材と、を有してなる（なお、第１の線材と第２の線材とが互いに交差するところでは第１の線材と第２の線材とが固定（接着や融着等）されている。）。
【００２０】
そして、通気口１４以外の表面覆い部１３と裏面覆い部１５と側面覆い部１７とは、いずれも同じシート素材によって形成されている。図３に示す通り、該シート素材２０１は、柔軟な発泡樹脂シート２０３と、発泡樹脂シート２０３の両主表面２０３ａ、２０３ｂのうち片面２０３ｂに蒸着されたアルミニウム層２０５（薄膜）と、によって形成されている。アルミニウム層２０５の表面２０５ｃは、外部空間９９と内部空間１２とを仕切るシート素材２０１の外部空間９９側の表面を形成しており、アルミニウム層２０５の表面２０５ｃは平滑な面とされ、外部空間９９からの輻射熱を表面２０５ｃが反射することで、内部空間１２が加熱されることを抑制（防止又は減少）する。そして、発泡樹脂シート２０３は断熱性が高く、外部空間９９から内部空間１２への熱伝導を減少させ、内部空間１２が加熱されることを抑制（防止又は減少）する。なお、上述の如く、表面覆い部１３（通気口１４を除く）と裏面覆い部１５と側面覆い部１７とのいずれも、アルミニウム層２０５の表面２０５ｃが外部空間９９側の表面を形成するシート素材２０１によって形成されている。
【００２１】
以下、図４も参照しつつ説明する。図４は第１本カバー１１における表面覆い部１３及び裏面覆い部１５の外側覆い部分１３ｃ、１５ｃを説明する図であり、図４（ａ）は表面覆い部１３の外側覆い部分１３ｃを説明する図であり、図４（ｂ）は裏面覆い部１５の外側覆い部分１５ｃを説明する図である。
第１本カバー１１は、表面１０３ａと裏面１０３ｂとを有する板状の保冷材１０１を、表面１０３ａを覆う表面覆い部１３と裏面１０３ｂを覆う裏面覆い部１５との間に形成される内部空間１２に保持する保冷材用カバーであって、表面覆い部１３と裏面覆い部１５とのいずれもが、その外縁１３ｆ、１５ｆから所定寸法以上の幅（図４に示すように、ここでは表面覆い部１３においてはＸ１＝Ｘ２＝Ｘ３＝Ｘ４＝約３ｃｍ。裏面覆い部１５においてはＹ１＝Ｙ２＝Ｙ３＝Ｙ４＝Ｘ１＝Ｘ２＝Ｘ３＝Ｘ４＝約３ｃｍ。）でその外縁１３ｆ、１５ｆに沿って連続して形成された外側覆い部分１３ｃ、１５ｃ（図４においては外側覆い部分１３ｃ、１５ｃにハッチングを付している）を有し、表面覆い部１３と裏面覆い部１５とのうち少なくとも表面覆い部１３が、外側覆い部分１３ｃによって取り囲まれた部分に、内部空間１２と外部空間９９とを連通させる通気口１４を有するものである、保冷材用カバーである。なお、外側覆い部分１３ｃ、１５ｃは、上述の如く、シート素材２０１によって形成されており、第１本カバー１１のうち外側覆い部分１３ｃ、１５ｃを指で把持しても、内部空間１２に収容された保冷材１０１に該指が直接接触しないように形成されている。
【００２２】
第１本カバー１１は、通気口１４の外縁（縁部１４ｆ）を結ぶように互いの間に間隔（約１ｃｍ）をとって取り付けられた複数の第１の線材及び第２の線材をを有しており、ここではこれら複数の第１の線材及び第２の線材によって網状部材１６が形成されている。
第１本カバー１１においては、第１本カバー１１の通気口１４以外の少なくとも一部が発泡樹脂シート２０３によって形成されるものである。
第１本カバー１１においては、第１本カバー１１の通気口１４以外の少なくとも一部の表面が金属（ここではアルミニウム層２０５）によって形成されるものである。
第１本カバー１１においては、前記所定寸法以上の幅が３ｃｍ（Ｙ１＝Ｙ２＝Ｙ３＝Ｙ４＝Ｘ１＝Ｘ２＝Ｘ３＝Ｘ４＝約３ｃｍ）であり、１．５ｃｍ〜４．５ｃｍである。
第１本カバー１１においては、保冷材１０１を内部空間１２に挿入及び内部空間１２から取り出し可能な開閉自在の開閉口（表面覆い部１３の表面非連結１辺と裏面覆い部１５の裏面非連結１辺との間に形成される開口であり、ジッパー１９によって開閉自在にされている。）を有するものである。
このような第１本カバー１１は、通気口１４を被冷却物（不図示）へ向けて配置（例えば、被冷却物（不図示）の上方や側方に配置してもよい）することで被冷却物（不図示）をうまく冷却することができる。
【００２３】
（第２の実施形態）
図５は、本考案の第２の実施形態の保冷材用カバー（以下、「第２本カバー」という。）２１を示す図であり、詳細には、図５（ａ）は第２本カバー２１が有する蓋板２３を開けた状態を示す斜視図であり、図５（ｂ）は第２本カバー２１が有する蓋板２３を閉めた状態を示す斜視図である。そして、図６は、図５（ｂ）のＢ−Ｂ断面図である。図５及び図６を参照して、第２本カバー２１について説明する。
第２本カバー２１は、大まかには、上述した第１本カバー１１と、第１本カバー１１の裏面覆い部１５が形成する略長方形の一長辺に沿って回動自在に取り付けられた蓋板２３と、蓋板２３に取り付けられた面ファスナー２３ｎと、面ファスナー２３ｎに係合可能に表面覆い部１３へ取り付けられた面ファスナー１３ｎと、を有してなる。第２本カバー２１に含まれる第１本カバー１１は、第１の実施形態にて説明した第１本カバー１１と同様のものであるのでここでは説明を省略する（第１の実施形態の第１本カバー１１と同じ要素には同じ参照番号を付しているので、必要に応じ第１の実施形態の説明を参照されたい。なお、図６の円Ｄ中は図３と同様である。）。
【００２４】
蓋板２３は、第１本カバー１１の裏面覆い部１５が形成する略長方形の一長辺に沿ってその一長辺（以下、「取付長辺」という。）が回動自在に取り付けられた略長方形状の基端板２３ｂと、基端板２３ｂの他の一長辺（基端板２３ｂが形成する略長方形が有する２の長辺のうち取付長辺とは異なる長辺。以下、「回動中心長辺」という。）にその一長辺が回動自在に取り付けられた略長方形状の本体板２３ａと、を含んでなり、ここでは基端板２３ｂと本体板２３ａとは一体の略長方形状の板状部材（合成樹脂板）に凹溝（押し型によって形成され、基端板２３ｂと本体板２３ａとの境界となる）を形成することで構成されている。
【００２５】
以上のように、蓋板２３の基端板２３ｂは第１本カバー１１に対して取付長辺を中心に回動自在に取り付けられると共に、蓋板２３の本体板２３ａは基端板２３ｂに対して回動中心長辺を中心に回動自在に取り付けられており、図５（ａ）の状態（蓋板２３開状態）から蓋板２３を図５（ａ）中の矢印Ｓ方向に回動（基端板２３ｂを取付長辺を中心に回動させ、本体板２３ａを回動中心長辺を中心に回動させる）させることで図５（ｂ）の状態（蓋板２３閉状態）とすることができる。図５（ｂ）の状態（蓋板２３閉状態）においては、蓋板２３（本体板２３ａ）の両面うち第１本カバー１１の表面覆い部１３に面する面が表面覆い部１３に略当接するようになっている（基端板２３ｂの幅は第１本カバー１１の厚みとほぼ同じにされている。）。加えて、図５（ｂ）の状態（蓋板２３閉状態）においては、蓋板２３（本体板２３ａのうち第１本カバー１１の表面覆い部１３に面する面）に取り付けられた面ファスナー２３ｎと、第１本カバー１１の表面覆い部１３へ取り付けられた面ファスナー１３ｎと、が互いに係合することで蓋板２３が通気口１４を閉じる図５（ｂ）の位置において通気口１４に対して蓋板２３が固定される。なお、図５（ｂ）の状態（蓋板２３閉状態）から蓋板２３の本体板２３ａに力を加えることで、面ファスナー２３ｎと面ファスナー１３ｎとの係合を解き、蓋板２３を図５（ｂ）中の矢印Ｔ方向に回動（基端板２３ｂを取付長辺を中心に回動させ、本体板２３ａを回動中心長辺を中心に回動させる）させることで図５（ａ）の状態（蓋板２３開状態）とすることができる。
即ち、第２本カバー２１においては、蓋板２３を回動（基端板２３ｂを取付長辺を中心に回動させ、本体板２３ａを回動中心長辺を中心に回動させる）させることで図５（ａ）状態（蓋板２３開状態）と図５（ｂ）状態（蓋板２３閉状態）とを自由に選択でき、さらに図５（ｂ）状態（蓋板２３閉状態）においては面ファスナー２３ｎと面ファスナー１３ｎとの係合により通気口１４を蓋板２３が閉じた状態で固定される。
【００２６】
以上説明した通り、第２本カバー２１は、表面１０３ａと裏面１０３ｂとを有する板状の保冷材１０１を、表面１０３ａを覆う表面覆い部１３と裏面１０３ｂを覆う裏面覆い部１５との間に形成される内部空間１２に保持する保冷材用カバーであって、表面覆い部１３と裏面覆い部１５とのいずれもが、その外縁１３ｆ、１５ｆから所定寸法以上の幅（第１本カバー１１で説明の通り、図４に示すように、ここでは表面覆い部１３においてはＸ１＝Ｘ２＝Ｘ３＝Ｘ４＝約３ｃｍ。裏面覆い部１５においてはＹ１＝Ｙ２＝Ｙ３＝Ｙ４＝Ｘ１＝Ｘ２＝Ｘ３＝Ｘ４＝約３ｃｍ。）でその外縁１３ｆ、１５ｆに沿って連続して形成された外側覆い部分１３ｃ、１５ｃ（図４参照）を有し、表面覆い部１３と裏面覆い部１５とのうち少なくとも表面覆い部１３が、外側覆い部分１３ｃによって取り囲まれた部分に、内部空間１２と外部空間９９とを連通させる通気口１４を有するものである、保冷材用カバーである。なお、外側覆い部分１３ｃ、１５ｃは、第１本カバー１１と同様、シート素材２０１によって形成されており、第１本カバー１１のうち外側覆い部分１３ｃ、１５ｃを指で把持しても、内部空間１２に収容された保冷材１０１に該指が直接接触しないように形成されている。
【００２７】
第１本カバー１１と同様、第２本カバー２１は、通気口１４の外縁（縁部１４ｆ）を結ぶように互いの間に間隔（約１ｃｍ）をとって取り付けられた複数の第１の線材及び第２の線材をを有しており、ここではこれら複数の第１の線材及び第２の線材によって網状部材１６が形成されている。
第２本カバー２１においては、通気口１４を開閉可能な蓋部材（ここでは蓋板２３）が取り付けられたものである。
第２本カバー２１においては、蓋部材（蓋板２３）が通気口１４を閉じる位置（図５（ｂ）状態）において通気口１４に対する蓋部材（蓋板２３）の位置を固定する蓋固定手段（ここでは互いに係脱可能な面ファスナー２３ｎ及び面ファスナー１３ｎにより構成される）を有するものである。
第２本カバー２１においては、第２本カバー２１（第２本カバー２１に含まれる第１本カバー１１）の通気口１４以外の少なくとも一部が発泡樹脂シート２０３によって形成されるものである。
第２本カバー２１においては、第２本カバー２１（第２本カバー２１に含まれる第１本カバー１１）の通気口１４以外の少なくとも一部の表面が金属（ここではアルミニウム層２０５）によって形成されるものである。
第２本カバー２１においては、前記所定寸法以上の幅が３ｃｍ（Ｙ１＝Ｙ２＝Ｙ３＝Ｙ４＝Ｘ１＝Ｘ２＝Ｘ３＝Ｘ４＝約３ｃｍ）であり、１．５ｃｍ〜４．５ｃｍである。
第２本カバー２１においては、保冷材１０１を内部空間１２に挿入及び内部空間１２から取り出し可能な開閉自在の開閉口（表面覆い部１３の表面非連結１辺と裏面覆い部１５の裏面非連結１辺との間に形成される開口であり、ジッパー１９によって開閉自在にされている。）を有するものである。
このような第２本カバー２１は、図５（ａ）の状態（蓋板２３開状態）で通気口１４を被冷却物（不図示）へ向けて配置（例えば、被冷却物（不図示）の上方や側方に配置してもよい）することで被冷却物（不図示）をうまく冷却することができる。
【００２８】
（第３の実施形態）
図７は、本考案の第３の実施形態の保冷材用カバー（以下、「第３本カバー」という。）３１を示す図であり、詳細には、図７（ａ）は第３本カバー３１が有する一対の第１本カバー１１（以下、それぞれの第１本カバー１１を第１本カバー１１ａ及び第１本カバー１１ｂとする。）を開けた状態を示す斜視図であり、図７（ｂ）は第３本カバー３１が有する一対の第１本カバー１１ａ、１１ｂを半分閉じた状態を示す斜視図である。図７を参照して、第３本カバー３１について説明する。
第３本カバー３１は、大まかには、第１の実施形態にて述べた第１本カバー１１と同様の第１本カバー１１ａと、第１の実施形態にて述べた第１本カバー１１と同様の第１本カバー１１ｂと、第１本カバー１１ａの表面覆い部１３に取り付けられた面ファスナー３２ａと、第１本カバー１１ｂの表面覆い部１３に取り付けられた面ファスナー３２ｂと、を有してなる。第３本カバー３１に含まれる第１本カバー１１ａ、１１ｂのいずれも、第１の実施形態にて説明した第１本カバー１１と同様のものであるのでここでは説明を省略する（第１の実施形態の第１本カバー１１と同じ要素には同じ参照番号を付しているので、必要に応じ第１の実施形態の説明を参照されたい。）。
【００２９】
第３本カバー３１においては、第１本カバー１１ａの表面覆い部１３が形成する略長方形の一長辺（以下、「中心長辺」という。）と、第１本カバー１１ｂの表面覆い部１３が形成する略長方形の一長辺（以下、「中心長辺」という。）と、が互いに沿って回動自在に取り付けられることで、回動軸３３を中心に第１本カバー１１ａ、１１ｂが互いに回動自在に連結されている。
そして、第１本カバー１１ａ、１１ｂは、図８に示すように回動軸３３を中心に回動することで、第１本カバー１１ａの表面覆い部１３と第１本カバー１１ｂの表面覆い部１３とが面する状態にすることができる。図８の状態においては、第１本カバー１１ａの通気口１４と第１本カバー１１ｂの通気口１４とが丁度面しており、第１本カバー１１ａの通気口１４に対しては第１本カバー１１ｂが蓋部材として機能すると共に、第１本カバー１１ｂの通気口１４に対しては第１本カバー１１ａが蓋部材として機能することで、両方の通気口１４が閉じられた状態になっている。また、図８の状態においては、面ファスナー３２ａと面ファスナー３２ｂとが係合することで、上記のように第１本カバー１１ａ、１１ｂの両方の通気口１４が閉じられた状態において、第１本カバー１１ａ、１１ｂ互いが固定される。なお、図８の状態（両通気口１４閉状態）から第１本カバー１１ｂに対して第１本カバー１１ａに力を加えることで、面ファスナー３２ａと面ファスナー３２ｂとの係合を解き、第１本カバー１１ａを図８中の矢印Ｔ方向に回動（回動軸３３を中心に第１本カバー１１ａを回動させる）させることで図７（ｂ）から図７（ａ）の状態（両通気口１４開状態）とすることができる。
即ち、第３本カバー３１においては、回動軸３３を中心に第１本カバー１１ａ、１１ｂを互いに回動させることで図７（ａ）の状態（両通気口１４開状態）と図７（ｂ）の状態（両通気口１４半開状態）と図８の状態（両通気口１４閉状態）とを自由に選択でき、さらに図８状態（両通気口１４閉状態）においては面ファスナー３２ａと面ファスナー３２ｂとの係合により第１本カバー１１ａ、１１ｂの両方の通気口１４が閉じられた状態で固定される。
【００３０】
以下、図９も参照しつつ説明する。図９は、図７（ａ）の状態（両通気口１４開状態）の第３本カバー３１の斜視図であり、詳細には、図９（ａ）は第３本カバー３１を構成する第１本カバー１１ａ、１１ｂの表面覆い部１３側から見たときの斜視図（図７（ａ）と同様の位置から見ている）であり、図９（ｂ）は第３本カバー３１を構成する第１本カバー１１ａ、１１ｂの裏面覆い部１５側から見たときの斜視図である。第３本カバー３１は、本考案の保冷材用カバーを個々が構成する一対の第１本カバー１１ａ、１１ｂが連結されたものであるが、第３本カバー３１が一体として一つの本考案の保冷材用カバーを構成するものである。
即ち、第３本カバー３１は、表面１０３ａと裏面１０３ｂとを有する板状の保冷材１０１（ここでは第１本カバー１１ａに収容される保冷材１０１と、第１本カバー１１ｂに収容される保冷材１０１と、の一対を含む。）を、表面１０３ａを覆う表面覆い部（ここでは第１本カバー１１ａの表面覆い部１３と第１本カバー１１ｂの表面覆い部１３とによって構成される）と裏面１０３ｂを覆う裏面覆い部（ここでは第１本カバー１１ａの裏面覆い部１５と第１本カバー１１ｂの裏面覆い部１５とによって構成される）との間に形成される内部空間（ここでは第１本カバー１１ａの内部空間１２と第１本カバー１１ｂの内部空間１２とによって構成される）に保持する保冷材用カバーであって、表面覆い部（第１本カバー１１ａの表面覆い部１３と第１本カバー１１ｂの表面覆い部１３）と裏面覆い部（第１本カバー１１ａの裏面覆い部１５と第１本カバー１１ｂの裏面覆い部１５）とのいずれもが、その外縁（図９中、表面覆い部の外縁を外縁３５として示し、裏面覆い部の外縁を外縁３７として示す）から所定寸法以上の幅（図９に示すように、表面覆い部においてはＸ５＝Ｘ６＝Ｘ７＝Ｘ８＝約３ｃｍ。裏面覆い部においてはＹ５＝Ｙ６＝Ｙ７＝Ｙ８＝Ｘ５＝Ｘ６＝Ｘ７＝Ｘ８＝約３ｃｍ。）でその外縁３５、３７に沿って連続して形成された外側覆い部分３５ｃ、３７ｃ（図９においては外側覆い部分３５ｃ、３７ｃにハッチングを付している）を有し、表面覆い部（第１本カバー１１ａの表面覆い部１３と第１本カバー１１ｂの表面覆い部１３）と裏面覆い部（第１本カバー１１ａの裏面覆い部１５と第１本カバー１１ｂの裏面覆い部１５）とのうち少なくとも表面覆い部（第１本カバー１１ａの表面覆い部１３と第１本カバー１１ｂの表面覆い部１３）が、外側覆い部分３５ｃによって取り囲まれた部分に、内部空間（第１本カバー１１ａの内部空間１２と第１本カバー１１ｂの内部空間１２）と外部空間９９とを連通させる通気口（ここでは第１本カバー１１ａの通気口１４と第１本カバー１１ｂの通気口１４とによって構成される）を有するものである、保冷材用カバーである。なお、外側覆い部分３５ｃ、３７ｃは、第１の実施形態にて説明した第１本カバー１１と同様、シート素材２０１によって形成されており、外側覆い部分３５ｃ、３７ｃを指で把持しても、内部空間に収容された保冷材１０１に該指が直接接触しないように形成されている。
【００３１】
第３本カバー３１においては、第１本カバー１１と同様、通気口１４の外縁（縁部１４ｆ）を結ぶように互いの間に間隔（約１ｃｍ）をとって取り付けられた複数の第１の線材及び第２の線材を有しており、ここではこれら複数の第１の線材及び第２の線材によって網状部材１６が形成されている。
第３本カバー３１においては、通気口（第１本カバー１１ａの通気口１４と第１本カバー１１ｂの通気口１４）を開閉可能な蓋部材（第１本カバー１１ａの通気口１４に対しては第１本カバー１１ｂが蓋部材として機能し、第１本カバー１１ｂの通気口１４に対しては第１本カバー１１ａが蓋部材として機能する）が取り付けられたものである。
第３本カバー３１においては、前記保冷材用カバー（第３本カバー３１）は、表面覆い部（第１本カバー１１ａの表面覆い部１３と第１本カバー１１ｂの表面覆い部１３）を横断する線分である分割線分（ここでは回動軸３３）に沿って分割される第１カバー部（第１本カバー１１ａ）と第２カバー部（第１本カバー１１ｂ）とを含んでなり、第１カバー部（第１本カバー１１ａ）が第２カバー部（第１本カバー１１ｂ）に対し第１カバー部（第１本カバー１１ａ）の表面覆い部１３と第２カバー部（第１本カバー１１ｂ）の表面覆い部１３とが互いに接する回動位置（図８の状態）まで分割線分（回動軸３３）の周りに回動可能なものであり、第１カバー部（第１本カバー１１ａ）及び第２カバー部（第１本カバー１１ｂ）の一方が他方に対して蓋部材として機能するものである（第１本カバー１１ａ（他方）に対して第１本カバー１１ｂ（一方）が蓋部材として機能し、第１本カバー１１ｂ（他方）に対して第１本カバー１１ａ（一方）が蓋部材として機能する。）。
第３本カバー３１においては、蓋部材（第１本カバー１１ａの通気口１４に対しては第１本カバー１１ｂであり、第１本カバー１１ｂの通気口１４に対しては第１本カバー１１ａである）が通気口（第１本カバー１１ａの通気口１４と第１本カバー１１ｂの通気口１４）を閉じる位置（図８の位置）において通気口（第１本カバー１１ａの通気口１４と第１本カバー１１ｂの通気口１４）に対する蓋部材（第１本カバー１１ａの通気口１４に対しては第１本カバー１１ｂであり、第１本カバー１１ｂの通気口１４に対しては第１本カバー１１ａである）の位置を固定する蓋固定手段（ここでは互いに係合する面ファスナー３２ａと面ファスナー３２ｂ）を有するものである。
【００３２】
第３本カバー３１においては、前記保冷材用カバー（第３本カバー３１）の通気口（第１本カバー１１ａの通気口１４と第１本カバー１１ｂの通気口１４）以外の少なくとも一部が発泡樹脂シート２０３によって形成されるものである。
第３本カバー３１においては、前記保冷材用カバー（第３本カバー３１）の通気口（第１本カバー１１ａの通気口１４と第１本カバー１１ｂの通気口１４）以外の少なくとも一部の表面が金属（ここではアルミニウム層２０５）によって形成されるものである。
第３本カバー３１においては、前記所定寸法以上の幅が３ｃｍ（Ｙ５＝Ｙ６＝Ｙ７＝Ｙ８＝Ｘ５＝Ｘ６＝Ｘ７＝Ｘ８＝約３ｃｍ）であり、１．５ｃｍ〜４．５ｃｍである。
第３本カバー３１においては、保冷材１０１（第１本カバー１１ａに収容される保冷材１０１と、第１本カバー１１ｂに収容される保冷材１０１と、の一対を含む。）を内部空間（第１本カバー１１ａの内部空間１２と第１本カバー１１ｂの内部空間１２）に挿入及び内部空間（第１本カバー１１ａの内部空間１２と第１本カバー１１ｂの内部空間１２）から取り出し可能な開閉自在の開閉口（第１本カバー１１ａにおける表面覆い部１３の表面非連結１辺と裏面覆い部１５の裏面非連結１辺との間に形成される開口と、第１本カバー１１ｂにおける表面覆い部１３の表面非連結１辺と裏面覆い部１５の裏面非連結１辺との間に形成される開口と、によって構成され、いずれの開口もジッパー１９によって開閉自在にされている。）を有するものである。
このような第３本カバー３１は、図７（ａ）の状態（両通気口１４開状態）で第１本カバー１１ａ、１１ｂの通気口１４を被冷却物（不図示）へ向けて配置（例えば、被冷却物（不図示）の上方や側方に配置してもよい）したり、図７（ｂ）の状態（両通気口１４半開状態）で衝立のように自立させて第１本カバー１１ａ、１１ｂの通気口１４を被冷却物（不図示）へ向けて配置することで被冷却物（不図示）をうまく冷却することができる。
【００３３】
（第４の実施形態）
図１０は、本考案の第４の実施形態の保冷材用カバー（以下、「第４本カバー」という。）４１を示す図であり、詳細には、図１０（ａ）は第４本カバー４１が有する一対の第１カバー部４１ａ及び第２カバー部４１ｂを開けた状態を示す斜視図であり、図１０（ｂ）は第４本カバー４１が有する一対の第１カバー部４１ａ及び第２カバー部４１ｂを半分閉じた状態を示す斜視図である。図１０を参照して、第４本カバー４１について説明する。
第４本カバー４１は、上述の第３本カバー３１と比較して、第１カバー部４１ａは第３本カバー３１の第１本カバー１１ａに相当し、第２カバー部４１ｂは第３本カバー３１の第１本カバー１１ｂに相当するが、第１カバー部４１ａは第３本カバー３１の第１本カバー１１ａと通気口１４及び網状部材１６の形状が異なり、第２カバー部４１ｂも第３本カバー３１の第１本カバー１１ｂと通気口１４及び網状部材１６の形状が異なるが、それ以外は同様である（即ち、第４本カバー４１は、第３本カバー３１における第１本カバー１１ａ、１１ｂの通気口１４及び網状部材１６の形状を変えたものである。）。このため第４本カバー４１が、第３本カバー３１と同様の点については説明を省略する（第３本カバー３１と同様の要素については同じ参照番号を付しているので、必要に応じ前記の説明を参照されたい。）。
第４本カバー４１の第１カバー部４１ａが有する通気口１４は、回動軸３３側に拡大されており、通気口１４の縁部１４ｆは回動軸３３に沿った部分を有している。同様に、第４本カバー４１の第２カバー部４１ｂが有する通気口１４は、回動軸３３側に拡大されており、通気口１４の縁部１４ｆは回動軸３３に沿った部分を有している。
【００３４】
第４本カバー４１においては、第１カバー部４１ａの表面覆い部１３が形成する略長方形の一長辺（以下、「中心長辺」という。）と、第２カバー部４１ｂの表面覆い部１３が形成する略長方形の一長辺（以下、「中心長辺」という。）と、が互いに沿って取り付けられることで、回動軸３３を中心に第１カバー部４１ａ及び第２カバー部４１ｂが互いに回動自在に連結されている。
そして、第１カバー部４１ａ及び第２カバー部４１ｂは、回動軸３３を中心に回動することで、第３本カバー３１において図８に示したのと同様に、第１カバー部４１ａの表面覆い部１３と第２カバー部４１ｂの表面覆い部１３とが面する状態にすることができる。この状態においては、第１カバー部４１ａの通気口１４と第２カバー部４１ｂの通気口１４とが丁度面しており、第１カバー部４１ａの通気口１４に対しては第２カバー部４１ｂが蓋部材として機能すると共に、第２カバー部４１ｂの通気口１４に対しては第１カバー部４１ａが蓋部材として機能することで、両方の通気口１４が閉じられた状態になる。また、第１カバー部４１ａの表面覆い部１３と第２カバー部４１ｂの表面覆い部１３とが面する状態（図８と同様）においては、面ファスナー３２ａと面ファスナー３２ｂとが係合することで、上記のように第１カバー部４１ａ及び第２カバー部４１ｂの両方の通気口１４が閉じられた状態において、第１カバー部４１ａ及び第２カバー部４１ｂ互いが固定される。なお、面ファスナー３２ａと面ファスナー３２ｂとが係合した状態（両通気口１４閉状態）から第２カバー部４１ｂに対して第１カバー部４１ａに力を加えることで、面ファスナー３２ａと面ファスナー３２ｂとの係合を解き、第１カバー部４１ａを回動（回動軸３３を中心に第１カバー部４１ａを回動させる）させることで図８同様の状態から図１０（ｂ）から図１０（ａ）の状態（両通気口１４開状態）とすることができる。
即ち、第４本カバー４１においては、回動軸３３を中心に第１カバー部４１ａ及び第２カバー部４１ｂを互いに回動させることで図１０（ａ）の状態（両通気口１４開状態）と図１０（ｂ）の状態（両通気口１４半開状態）と図８のような状態（両通気口１４閉状態）とを自由に選択でき、さらに両通気口１４閉状態においては面ファスナー３２ａと面ファスナー３２ｂとの係合により第１カバー部４１ａ及び第２カバー部４１ｂの両方の通気口１４が閉じられた状態で固定される。
【００３５】
以下、図１１も参照しつつ説明する。図１１は、図１０（ａ）の状態（両通気口１４開状態）の第４本カバー４１の斜視図であり、詳細には、図１１（ａ）は第４本カバー４１を構成する第１カバー部４１ａ及び第２カバー部４１ｂの表面覆い部１３側から見たときの斜視図（図１０（ａ）と同様の位置から見たところを示している）であり、図１１（ｂ）は第４本カバー４１を構成する第１カバー部４１ａ及び第２カバー部４１ｂの裏面覆い部１５側から見たときの斜視図である。
第４本カバー４１は、表面１０３ａと裏面１０３ｂとを有する板状の保冷材１０１（ここでは第１カバー部４１ａに収容される保冷材１０１と、第２カバー部４１ｂに収容される保冷材１０１と、の一対を含む。）を、表面１０３ａを覆う表面覆い部（ここでは第１カバー部４１ａの表面覆い部１３と第２カバー部４１ｂの表面覆い部１３とによって構成される）と裏面１０３ｂを覆う裏面覆い部（ここでは第１カバー部４１ａの裏面覆い部１５と第２カバー部４１ｂの裏面覆い部１５とによって構成される）との間に形成される内部空間（ここでは第１カバー部４１ａの内部空間１２と第２カバー部４１ｂの内部空間１２とによって構成される）に保持する保冷材用カバーであって、表面覆い部（第１カバー部４１ａの表面覆い部１３と第２カバー部４１ｂの表面覆い部１３）と裏面覆い部（第１カバー部４１ａの裏面覆い部１５と第２カバー部４１ｂの裏面覆い部１５）とのいずれもが、その外縁（図１１中、表面覆い部の外縁を外縁４５として示し、裏面覆い部の外縁を外縁４７として示す）から所定寸法以上の幅（図１１に示すように、表面覆い部においてはＸ５＝Ｘ６＝Ｘ７＝Ｘ８＝約３ｃｍ。裏面覆い部においてはＹ５＝Ｙ６＝Ｙ７＝Ｙ８＝Ｘ５＝Ｘ６＝Ｘ７＝Ｘ８＝約３ｃｍ。）でその外縁４５、４７に沿って連続して形成された外側覆い部分４５ｃ、４７ｃ（図１１においては外側覆い部分４５ｃ、４７ｃにハッチングを付している）を有し、表面覆い部（第１カバー部４１ａの表面覆い部１３と第２カバー部４１ｂの表面覆い部１３）と裏面覆い部（第１カバー部４１ａの裏面覆い部１５と第２カバー部４１ｂの裏面覆い部１５）とのうち少なくとも表面覆い部（第１カバー部４１ａの表面覆い部１３と第２カバー部４１ｂの表面覆い部１３）が、外側覆い部分４５ｃによって取り囲まれた部分に、内部空間（第１カバー部４１ａの内部空間１２と第２カバー部４１ｂの内部空間１２）と外部空間９９とを連通させる通気口（ここでは第１カバー部４１ａの通気口１４と第２カバー部４１ｂの通気口１４とによって構成される）を有するものである、保冷材用カバーである。なお、外側覆い部分４５ｃ、４７ｃは、第１の実施形態にて説明した第１本カバー１１と同様、シート素材２０１によって形成されており、外側覆い部分４５ｃ、４７ｃを指で把持しても、内部空間に収容された保冷材１０１に該指が直接接触しないように形成されている。
【００３６】
第４本カバー４１においては、第１本カバー１１と同様、通気口１４の外縁（縁部１４ｆ）を結ぶように互いの間に間隔（約１ｃｍ）をとって取り付けられた複数の第１の線材及び第２の線材を有しており、ここではこれら複数の第１の線材及び第２の線材によって網状部材１６が形成されている。
第４本カバー４１においては、通気口（第１カバー部４１ａの通気口１４と第２カバー部４１ｂの通気口１４）を開閉可能な蓋部材（第１カバー部４１ａの通気口１４に対しては第２カバー部４１ｂが蓋部材として機能すると共に、第２カバー部４１ｂの通気口１４に対しては第１カバー部４１ａが蓋部材として機能する）が取り付けられたものである。
第４本カバー４１においては、前記保冷材用カバー（第４本カバー４１）は、表面覆い部（第１カバー部４１ａの表面覆い部１３と第２カバー部４１ｂの表面覆い部１３）を横断する線分である分割線分（ここでは回動軸３３）に沿って分割される第１カバー部４１ａと第２カバー部４１ｂとを含んでなり、第１カバー部４１ａが第２カバー部４１ｂに対し第１カバー部４１ａの表面覆い部１３と第２カバー部４１ｂの表面覆い部１３とが互いに接する回動位置（図８と同様の状態）まで分割線分（回動軸３３）の周りに回動可能なものであり、第１カバー部４１ａ及び第２カバー部４１ｂの一方が他方に対して蓋部材として機能するものである（第１カバー部４１ａ（他方）に対して第２カバー部４１ｂ（一方）が蓋部材として機能し、第２カバー部４１ｂ（他方）に対して第１カバー部４１ａ（一方）が蓋部材として機能する。）。
第４本カバー４１においては、蓋部材（第１カバー部４１ａの通気口１４に対しては第２カバー部４１ｂであり、第２カバー部４１ｂの通気口１４に対しては第１カバー部４１ａである）が通気口（第１カバー部４１ａの通気口１４と第２カバー部４１ｂの通気口１４）を閉じる位置（図８のような位置）において通気口（第１カバー部４１ａの通気口１４と第２カバー部４１ｂの通気口１４）に対する蓋部材（第１カバー部４１ａの通気口１４に対しては第２カバー部４１ｂであり、第２カバー部４１ｂの通気口１４に対しては第１カバー部４１ａである）の位置を固定する蓋固定手段（ここでは互いに係合する面ファスナー３２ａと面ファスナー３２ｂ）を有するものである。
【００３７】
第４本カバー４１においては、前記保冷材用カバー（第４本カバー４１）の通気口（第１カバー部４１ａの通気口１４と第２カバー部４１ｂの通気口１４）以外の少なくとも一部が発泡樹脂シート２０３によって形成されるものである。
第４本カバー４１においては、前記保冷材用カバー（第４本カバー４１）の通気口（第１カバー部４１ａの通気口１４と第２カバー部４１ｂの通気口１４）以外の少なくとも一部の表面が金属（ここではアルミニウム層２０５）によって形成されるものである。
第４本カバー４１においては、前記所定寸法以上の幅が３ｃｍ（Ｙ５＝Ｙ６＝Ｙ７＝Ｙ８＝Ｘ５＝Ｘ６＝Ｘ７＝Ｘ８＝約３ｃｍ）であり、１．５ｃｍ〜４．５ｃｍである。
第４本カバー４１においては、保冷材１０１（第１カバー部４１ａに収容される保冷材１０１と、第２カバー部４１ｂに収容される保冷材１０１と、の一対を含む。）を内部空間（第１カバー部４１ａの内部空間１２と第２カバー部４１ｂの内部空間１２）に挿入及び内部空間（第１カバー部４１ａの内部空間１２と第２カバー部４１ｂの内部空間１２）から取り出し可能な開閉自在の開閉口（第１カバー部４１ａにおける表面覆い部１３の表面非連結１辺と裏面覆い部１５の裏面非連結１辺との間に形成される開口と、第２カバー部４１ｂにおける表面覆い部１３の表面非連結１辺と裏面覆い部１５の裏面非連結１辺との間に形成される開口と、によって構成され、いずれの開口もジッパー１９によって開閉自在にされている。）を有するものである。
このような第４本カバー４１は、図１０（ａ）の状態（両通気口１４開状態）で第１カバー部４１ａ及び第２カバー部４１ｂの通気口１４を被冷却物（不図示）へ向けて配置（例えば、被冷却物（不図示）の上方や側方に配置してもよい）したり、図１０（ｂ）の状態（両通気口１４半開状態）で衝立のように自立させて第１カバー部４１ａ及び第２カバー部４１ｂの通気口１４を被冷却物（不図示）へ向けて配置することで被冷却物（不図示）をうまく冷却することができる。
【符号の説明】
【００３８】
１１、１１ａ、１１ｂ  第１本カバー
１２        内部空間
１３        表面覆い部
１３ｃ      外側覆い部分
１３ｆ      外縁
１３ｎ      面ファスナー
１４        通気口
１４ｆ      縁部
１５        裏面覆い部
１５ｃ      外側覆い部分
１５ｆ      外縁
１６        網状部材
１７        側面覆い部
１９        ジッパー
１９ｃ      スライダ
２１        第２本カバー
２３        蓋板
２３ａ      本体板
２３ｂ      基端板
２３ｎ      面ファスナー
３１        第３本カバー
３２ａ      面ファスナー
３２ｂ      面ファスナー
３３        回動軸
３５        外縁
３５ｃ      外側覆い部分
３７        外縁
３７ｃ      外側覆い部分
４１        第４本カバー
４１ａ      第１カバー部
４１ｂ      第２カバー部
４５        外縁
４５ｃ      外側覆い部分
４７        外縁
４７ｃ      外側覆い部分
９９        外部空間
１０１        保冷材
１０１ａ      畜冷剤
１０１ｃ      合成樹脂製ケース
１０３ａ      表面
１０３ｂ      裏面
２０１        シート素材
２０３        発泡樹脂シート
２０３ａ、２０３ｂ  主表面
２０５        アルミニウム層
２０５ｃ      表面
【図１】
0003164585.tif 000003
【図２】
0003164585.tif 000004
【図３】
0003164585.tif 000005
【図４】
0003164585.tif 000006
【図５】
0003164585.tif 000007
【図６】
0003164585.tif 000008
【図７】
0003164585.tif 000009
【図８】
0003164585.tif 000010
【図９】
0003164585.tif 000011
【図１０】
0003164585.tif 000012
【図１１】
0003164585.tif 000013